(57)【要約】【課題】環境を測定する構成を備える必要なく、動作環境を制御する屋外用表示装置、屋外用表示装置の制御方法、及び屋外用表示装置の制御プログラムを提供すること。【解決手段】屋外用表示装置１００は、画像を表示するディスプレイ１０１と、外部のネットワークからディスプレイ１０１の位置または近傍の気象情報を取得する通信部１０２と、気象情報に基づいてディスプレイ１０１の動作環境を制御する制御部１０３と、を備える。【選択図】図１
2017102170.tif 000002
【特許請求の範囲】
【請求項１】
画像を表示するディスプレイと、
外部のネットワークから前記ディスプレイの位置または近傍の気象情報を取得する通信部と、
前記気象情報に基づいて前記ディスプレイの動作環境を制御する制御部と、を備える屋外用表示装置。
【請求項２】
前記ディスプレイは、液晶ディスプレイである請求項１に記載の屋外用表示装置。
【請求項３】
前記屋外用表示装置は、前記屋外用表示装置の設置位置の情報を記憶する記憶部を備え、
前記制御部は、前記通信部が取得した気象情報のうち、前記設置位置に最も近い気象情報に基づいて前記ディスプレイを制御する請求項１または２に記載の屋外用表示装置。
【請求項４】
前記気象情報は少なくとも外気温度情報を含み、
前記ディスプレイを冷却する冷却部を備え、
前記制御部は、前記外気温度情報に基づいて前記冷却部を制御する請求項１から３のいずれかに記載の屋外用表示装置。
【請求項５】
前記冷却部は、前記ディスプレイに送風するファンを備え、
前記制御部は、設置位置の高度情報に基づいて前記ファンの回転数を決定する請求項４に記載の屋外用表示装置。
【請求項６】
前記気象情報は少なくとも日射量情報を含み、
前記冷却部は、前記ディスプレイに送風するファンを備え、
前記制御部は、前記日射量情報に基づいて前記ファンの回転数を決定する請求項４に記載の屋外用表示装置。
【請求項７】
前記気象情報は少なくとも外気温度情報を含み、
ディスプレイを加熱するヒーターを備え、
前記制御部は、前記外気温度情報に基づいて前記ヒーターを制御する請求項１から６のいずれかに記載の屋外用表示装置。
【請求項８】
前記気象情報は、雷の発生情報、台風情報、洪水情報、粒子の飛来情報または噴火情報の少なくとも１つを含み、
前記ディスプレイに電力を供給する電源を備え、
前記制御部は、雷の発生情報、台風情報、洪水情報、粒子の飛来情報または噴火情報の少なくとも１つに基づいて前記電源を制御する請求項１から７のいずれかに記載の屋外用表示装置。
【請求項９】
屋外に設置されたディスプレイにおいて、外部のネットワークからディスプレイの位置または近傍の気象情報を取得し、
前記気象情報に基づいて前記ディスプレイの動作環境を制御する屋外用表示装置の制御方法。
【請求項１０】
画像を表示するディスプレイと、外部のネットワークと通信を行う通信部と、前記ディスプレイの動作環境を制御する制御部と、を備える屋外用表示装置において、
前記通信部において、外部のネットワークからディスプレイの位置または近傍の気象情報を取得させるステップと、
前記制御部において、前記気象情報に基づいて前記ディスプレイの動作環境を制御させるステップと、をコンピュータに実行させる屋外用表示装置の制御プログラム。
【発明の詳細な説明】
【技術分野】
【０００１】
本発明は屋外用表示装置、屋外用表示装置の制御方法、及び屋外用表示装置の制御プログラムに関し、特に液晶ディスプレイを用いた屋外用表示装置、屋外用表示装置の制御方法、及び屋外用表示装置の制御プログラムに関する。
【背景技術】
【０００２】
屋外または屋内に大型ディスプレイを配置し、多数の人が視聴することのできるパブリックディスプレイが普及しつつある。
【０００３】
液晶ディスプレイ(Liquid Crystal Display)を用いたパブリックディスプレイは、屋内で用いられることが多いが、屋外ではＬＥＤを用いたパブリックディスプレイが主流となっている。
【０００４】
ＬＥＤ（Light Emitting Diode）と比較すると液晶ディスプレイは、屋外環境において以下の留意点がある。
・日光の放射熱により液晶ディスプレイの温度が上昇する。
・日光下でも見やすいように液晶ディスプレイの輝度をあげると、消費電力が大きくなり、液晶ディスプレイの温度が上昇する。
【０００５】
一般に、液晶は粒子の方向が秩序を保っている（配向している）が、温度が上昇すると、液体状態になる。したがって、液晶ディスプレイの温度が上昇すると、光が液晶を透過することができなくなり、液晶ディスプレイが画像を表示することができなくなる（黒化）。
【０００６】
引用文献１には、ケーシングを用いて密閉構造を形成し、ケーシング内に温度センサーを備え、温度センサーの測定結果に基づいて送風及び冷却を行うことにより内部温度を制御することが記載されている。
【先行技術文献】
【特許文献】
【０００７】
【特許文献１】特開２０１０−１６４８８４号公報
【発明の概要】
【発明が解決しようとする課題】
【０００８】
しかしながら、特許文献１の装置は、内部に温度センサーを備える必要があるので、装置の構成が増えてしまうという問題があった。
【０００９】
本発明は、温度センサー等の環境を測定する構成を備える必要なく、動作環境を制御する屋外用表示装置、屋外用表示装置の制御方法、及び屋外用表示装置の制御プログラムを提供することを目的とする。
【課題を解決するための手段】
【００１０】
本発明の屋外用表示装置は、画像を表示するディスプレイと、外部のネットワークから前記ディスプレイの位置または近傍の気象情報を取得する通信部と、前記気象情報に基づいて前記ディスプレイの動作環境を制御する制御部と、を備えるようにした。
【００１１】
本発明の屋外用表示装置の制御方法は、屋外に設置されたディスプレイにおいて、外部のネットワークからディスプレイの位置または近傍の気象情報を取得し、前記気象情報に基づいて前記ディスプレイの動作環境を制御するようにした。
【００１２】
本発明の屋外用表示装置の制御プログラムは、画像を表示するディスプレイと、外部のネットワークと通信を行う通信部と、前記ディスプレイの動作環境を制御する制御部と、を備える屋外用表示装置において、前記通信部において、外部のネットワークからディスプレイの位置または近傍の気象情報を取得させるステップと、前記制御部において、前記気象情報に基づいて前記ディスプレイの動作環境を制御させるステップと、をコンピュータに実行させるようにした。
【発明の効果】
【００１３】
本発明の屋外用表示装置、屋外用表示装置の制御方法、及び屋外用表示装置の制御プログラムによれば、温度センサー等の環境を測定する構成を備える必要なく、動作環境を制御することができる。
【図面の簡単な説明】
【００１４】
【図１】実施の形態１に係る屋外用表示装置の概略構成を示すブロック図である。
【図２】実施の形態１に係る屋外用表示装置と接続するネットワークの一例を示す概略図である。
【図３】実施の形態１に係る屋外用表示装置の動作の一例を示すフローチャートである。
【図４】実施の形態２に係る屋外用表示装置の概略構成を示すブロック図である。
【図５】実施の形態２に係る屋外用表示装置の動作の一例を示すフローチャートである。
【図６】実施の形態３に係る屋外用表示装置の概略構成を示すブロック図である
【図７】実施の形態３に係る屋外用表示装置の動作の一例を示すフローチャートである。
【図８】実施の形態４に係る屋外用表示装置の概略構成を示すブロック図である。
【図９】実施の形態４に係る屋外用表示装置の動作の一例を示すフローチャートである。
【発明を実施するための形態】
【００１５】
以下の実施の形態１〜４では、気象情報が、外気温度情報、雷の発生情報、台風情報、洪水情報、粒子の飛来情報及び噴火情報のいずれか、または複数を含み、この気象情報に基づいて屋外用表示装置の環境（内部温度または電源）を制御する例について説明する。
【００１６】
（実施の形態１）
以下、図面を参照して本発明の実施の形態について説明する。図１は、実施の形態１に係る屋外用表示装置の概略構成を示すブロック図である。図１において、屋外用表示装置１００は、ディスプレイ１０１と、通信部１０２と、制御部１０３と、記憶部１０４と、ファン１０５と、を備える。
【００１７】
ディスプレイ１０１は、画像データを表示するディスプレイである。例えば、ディスプレイ１０１は、液晶ディスプレイ、ＬＥＤディスプレイまたは有機ＥＬディスプレイ（Organic Electroluminescence Display）を有する。そして、ディスプレイ１０１は、屋外に設置されるための構成を備える。例えば、ディスプレイ１０１は、液晶ディスプレイをケーシングに収容して、防塵防滴の密閉構造とし、ケーシングの内部に冷却用のファン１０５を設け、日光下においても内部温度が適正に保たれるように構成する。また、ディスプレイ１０１は、ヒーターをケーシング内部に備えることにより、低温時に電気部品の低温側の定格を超えないように制御するように構成する。
【００１８】
通信部１０２は、外部のネットワークと接続し、外部から、ディスプレイ１０１の位置または近傍の気象情報を取得する。例えば、通信部１０２は、接続するネットワークに対応したネットワークインターフェース回路で構成されることが好適である。またネットワークには、有線または無線のいずれか、または両方で接続する。また、通信部１０２が取得する気象情報は、気象情報と位置情報（例えば、緯度及び経度）とを組み合わせた情報が好適である。
【００１９】
制御部１０３は、通信部１０２が取得した気象情報に基づいてディスプレイ１０１の動作環境を制御する。例えば、制御部１０３は、気象情報の一つである外気温度情報に基づいて、ディスプレイ１０１内の冷却用のファン１０５の動作を制御することにより、ディスプレイ１０１の温度を制御する。制御部１０３は、ＣＰＵ（Central Processing Unit）、マイコン、ＡＳＩＣ（Application Specific Integrated Circuit）等の論理回路により構成されることが好適である。
【００２０】
記憶部１０４は、屋外用表示装置１００の設置位置の情報（例えば、緯度及び経度）を記憶する。例えば、記憶部１０４は、フラッシュメモリ等の不揮発性メモリで構成されることが好適である。設置位置情報は、例えば、キー入力装置、シリアルコンソールまたは通信部１０２からネットワーク経由のいずれかにより記憶部１０４に予め入力される。
【００２１】
この設置位置の情報は、ディスプレイ１０１の動作環境を制御する気象情報を選択することに用いられる。すなわち、制御部１０３が、設置位置と同じ位置の気象情報を選択し、選択した気象情報に基づいてディスプレイ１０１の動作環境を制御する。また、設置位置と同じ位置の気象情報が存在しない場合、制御部１０３は、設置位置に最も近い位置の気象情報を選択してもよい。
【００２２】
以上の構成により、屋外用表示装置１００は、外部のネットワークから取得した気象情報に基づいて、ディスプレイ１０１の動作環境を制御する。次に、気象情報を提供する外部のネットワークについて説明する。図２は、実施の形態１に係る屋外用表示装置と接続するネットワークの一例を示す概略図である。図２において、システム２００は、データ収集サーバ２０１と、データ配信サーバ２０２と、ネットワーク２０３と、ネットワーク２０４と、測定所２０５−１〜２０５−ｎ（ｎは自然数）と、ルーター２０６と、ルーター２０７とを備える。
【００２３】
データ収集サーバ２０１は、測定所２０５−１〜２０５−ｎが測定したデータを収集し、測定データと測定所の位置（例えば緯度及び経度）とを組み合わせて、気象情報とする。
データ配信サーバ２０２は、データ収集サーバ２０１が収集した気象情報を配信する。
【００２４】
ネットワーク２０３は、データ収集サーバ２０１及びデータ配信サーバ２０２を接続するネットワークである。例えばネットワーク２０３はＬＡＮ（Local Area Network）である。
【００２５】
ネットワーク２０４は、ルーター２０６を介してデータ配信サーバ２０２と接続し、ルーター２０７を介して屋外用表示装置１００と接続するネットワークである。例えば、ネットワーク２０４は、インターネット等のＷＡＮ（Wide Area Network）である。
【００２６】
測定所２０５−１〜２０５−ｎは、気象に関して測定を行い、データ収集サーバ２０１の要求に応じて、得られた気象情報を送信する。
【００２７】
ルーター２０６は、データ配信サーバ２０２と接続し、ネットワーク２０４内またはネットワーク２０４向けのパケットをルーティングするルーターである。
【００２８】
ルーター２０７は、屋外用表示装置１００と接続し、ネットワーク２０４内またはネットワーク２０４向けのパケットをルーティングするルーターである。
【００２９】
ネットワーク２００は、以上の構成により、各地で測定された気象情報を取得及び配信する。ネットワーク２００は、データ収集サーバ２０１、データ配信サーバ２０２、測定所２０５−１〜２０５−ｎを複数備えてもよいし、クラウドコンピューティングにより実現してもよい。
【００３０】
次に、屋外用表示装置１００の動作について説明する。図３は、実施の形態１に係る屋外用表示装置の動作の一例を示すフローチャートである。図３では、外部のネットワークから取得した外気温度情報に基づいてディスプレイ１０１の温度を制御する場合の動作について説明する。
【００３１】
まず、ステップＳ３０１において、屋外用表示装置１００の設置位置情報が、記憶部１０４に入力され、ステップＳ３０２に進む。具体的には、経度及び緯度の情報が記憶部１０４に入力される。
【００３２】
ステップＳ３０２において、制御部１０３が現在の時刻情報を取得し、ステップＳ３０３に進む。現在の時刻情報は、通信部１０２を介して外部のネットワークから取得しても良いし、制御部１０３内に時計機能を内蔵し、時計から現在の時刻情報を取得しても良い。
【００３３】
ステップＳ３０３において、通信部１０２が、外部のネットワークから外気温度情報を取得し、ステップＳ３０４に進む。具体的には、通信部１０２は、外部から、外気温と経度及び緯度とを組み合わせた情報を外気温度情報として取得する。
【００３４】
ステップＳ３０４において、制御部１０３が、現時点での屋外用表示装置１００の設置位置の外気温情報を取得し、ステップＳ３０５に進む。
【００３５】
ステップＳ３０５において、制御部１０３は、現時点での屋外用表示装置１００の設置位置の外気温が、所定の温度（例えばディスプレイの動作保証温度上限）より高いか否か判断する。外気温が所定の温度より高い場合、ステップＳ３０６に進む。また、外気温が所定の温度以下の場合、ステップＳ３０７に進む。
【００３６】
ステップＳ３０６において、制御部１０３は、冷却用のファン１０５を回すように制御し、ステップＳ３０３に戻る。
【００３７】
ステップＳ３０７において、制御部１０３は、冷却用のファン１０５が回っている状態であるか否か判断する。冷却用のファン１０５が回っている状態である場合、ステップＳ３０８に進む。また、冷却用のファン１０５が回っていない状態である場合、ステップＳ３０３に戻る。
【００３８】
ステップＳ３０８において、制御部１０３は、冷却用のファン１０５を止めるように制御し、ステップＳ３０３に戻る。
【００３９】
以降ステップＳ３０３〜Ｓ３０８の動作を繰り返すことにより、ディスプレイ１０１の温度制御を繰り返す。
【００４０】
このように、実施の形態１の屋外用表示装置によれば、外部のネットワークより、ディスプレイを設置した場所の気象情報を取得し、取得した気象情報に基づいてディスプレイの動作環境を制御することにより、環境を測定する構成を備える必要なく、動作環境を制御することができる。
【００４１】
特に実施の形態１の屋外用表示装置によれば、ディスプレイの動作保証温度上限より高い場合に、ディスプレイを冷却することにより、環境を測定する構成を備える必要なく、高温による液晶が液体状態になることを防ぎ、その結果、液晶ディスプレイが画像を表示することができなくなることを防ぐことができる。
【００４２】
また、液晶ディスプレイは、有機ＥＬディスプレイに比べて焼き付きが発生しにくく、ＬＥＤディスプレイに比べて、解像度が高いという利点を有する。したがって、実施の形態１の屋外用表示装置の構成を用い、環境を測定する構成を備える必要なく、動作環境を制御することにより、屋外で焼き付きが発生しにくく解像度が高い表示を実現することができる。特に広告等の表示をメインとするパブリックディスプレイ、表示エリアが約２０〜１００インチの大きさにで、高精細に表示するパブリックディスプレイに好適である。
【００４３】
また、実施の形態１では、ディスプレイの動作保証温度上限より高い場合に、ディスプレイを冷却する例について記載しているが、ディスプレイの動作保証温度下限より低い場合に、ディスプレイを加熱してもよい。この場合、屋外用表示装置１００はヒーターを備え、制御部１０３よりヒーターを制御することにより実現することができる。
【００４４】
液晶は、低温になると固体に近い状態となり、配向度が変化しにくくなる。この結果、液晶ディスプレイの表示において応答速度が遅くなる。
【００４５】
従って、実施の形態１の屋外用表示装置によれば、ディスプレイの動作保証温度下限より低い場合に、ディスプレイを加熱することにより、環境を測定する構成を備える必要なく、液晶ディスプレイの表示において応答速度の低下を抑えることができる。
【００４６】
また、実施の形態１では、外気温度情報に基づいて、ファン１０５を制御しているが、湿度情報に基づいてファン１０５を制御してもよい。例えば、ディスプレイの動作保証湿度上限より高い場合に、ファン１０５を回すように制御してもよい。この構成によれば、屋外用表示装置が結露することを防ぐことができる。
【００４７】
（実施の形態２）
実施の形態２では、高度情報に基づいてファンの回転数を制御する例について説明する。図４は、実施の形態２に係る屋外用表示装置の概略構成を示すブロック図である。図４において、図１と同様の構成については、同一の番号を付し、説明を省略する。図４において、屋外用表示装置４００は、ディスプレイ１０１と、通信部１０２と、制御部４０１と、記憶部１０４と、ファン１０５と、を備える。
【００４８】
制御部４０１は、図１の制御部１０３の機能に加えて、屋外用表示装置が設置された位置の緯度及び経度情報から、高度情報（例えば海抜高度）を求める。例えば、高度情報は、外部のネットワークまたは内部のデータベースに緯度、経度、高度を関連づけた地図情報を備えることにより求められる。
【００４９】
そして、制御部４０１は、高度情報に基づいてファン１０５の回転数を設定する。具体的には、制御部４０１は、屋外用表示装置が設置された高度が所定の高度より高い場合、ファン１０５の回転数を高く設定する。すなわち、高地であれば、空気が薄いため同じ回転数でも風量は少なくなってしまい、ファン１０５による冷却効果は低下してしまうので、高地と判定された場合、ファン１０５の回転数の係数を変更し、回転数を上げることで、風量を維持する。
【００５０】
次に、屋外用表示装置４００の動作について説明する。図５は、実施の形態２に係る屋外用表示装置４００の動作の一例を示すフローチャートである。図５では、屋外用表示装置が設置された高度の情報に基づいてディスプレイ１０１を冷却するファン１０５の回転数を制御する場合の動作について説明する。図５において、図２と同一のステップについては、同一の番号を付し、図２の説明における制御部１０３は、制御部４０１と読み替えて、説明を省略する。
【００５１】
ステップＳ３０２において、制御部４０１が現在の時刻情報を取得し、ステップＳ５０１に進む。
【００５２】
ステップＳ５０１において、制御部４０１は、屋外用表示装置が設置された位置の緯度及び経度情報から、高度情報を求め、ステップＳ５０２に進む。
【００５３】
ステップＳ５０２において、制御部４０１は、屋外用表示装置が設置された高度が、所定の高度より高いか否か判断する。屋外用表示装置が設置された高度が、所定の高度より高い場合、ステップＳ５０３に進む。また、屋外用表示装置が設置された高度が、所定の高度以下である場合、ステップＳ３０３に進む。
【００５４】
ステップＳ５０３において、制御部４０１は、ファン１０５の回転数を、通常の回転数より高い回転数に設定し、ステップＳ３０３に進む。
【００５５】
このように、実施の形態２の屋外用表示装置によれば、高度情報に基づいてファンの回転数を制御することにより、高度が高く、空気が薄い場合でも、風量を維持することができ、冷却効率の低下を抑えることができる。
【００５６】
（実施の形態３）
実施の形態３では、日射量に基づいてファンの回転数を制御する例について説明する。図６は、実施の形態３に係る屋外用表示装置の概略構成を示すブロック図である。図６において、図１と同様の構成については、同一の番号を付し、説明を省略する。図６において、屋外用表示装置６００は、ディスプレイ１０１と、通信部６０１と、制御部６０２と、記憶部１０４と、ファン１０５と、を備える。
【００５７】
通信部６０１は、図１の通信部１０２の機能に加えて、外部のネットワークから太陽からの日射量に関する情報を取得する。
【００５８】
制御部６０２は、図１の制御部１０３の機能に加えて、通信部６０１が取得した日射量の情報、緯度、経度、ディスプレイ１０１のパネルの向いている方向である方位、ディスプレイ１０１のパネルの傾き、及び日時から、太陽からディスプレイ１０１が受ける日射量を算出する。そして、制御部６０２は、算出した日射量に基づいてファン１０５の回転数を決定する。例えば、制御部６０２は、日射量が多いほど、ファン１０５の回転数を高く設定する。
【００５９】
なお、日射量に関しては、例えばＮＥＤＯ：国立研究開発法人新エネルギー・産業技術総合開発機構の発行する
http://www.nedo.go.jp/content/100500503.pdf
に基づいて算出することができる。
【００６０】
次に、屋外用表示装置６００の動作について説明する。図７は、実施の形態３に係る屋外用表示装置６００の動作の一例を示すフローチャートである。図７では、日射量の情報に基づいてディスプレイ１０１を冷却するファン１０５の回転数を制御する場合の動作について説明する。図７において、図２と同一のステップについては、同一の番号を付し、図２の説明における通信部１０２は、通信部６０１と読み替え、また図２の説明における制御部１０３は、制御部６０２と読み替えて、説明を省略する。
【００６１】
ステップＳ３０６において、制御部６０２は、冷却用のファン１０５を回すように制御し、ステップＳ７０１に進む。
【００６２】
ステップＳ３０７において、制御部６０２は、冷却用のファン１０５が回っている状態であるか否か判断する。冷却用のファン１０５が回っている状態である場合、ステップＳ３０８に進む。また、冷却用のファン１０５が回っていない状態である場合、ステップＳ７０１に進む。
【００６３】
ステップＳ３０８において、制御部６０２は、冷却用のファン１０５を止めるように制御し、ステップＳ７０１に進む。
【００６４】
ステップＳ７０１において、通信部６０１は、外部のネットワークから太陽からの日射量に関する情報を取得し、ステップＳ７０２に進む。
【００６５】
ステップＳ７０２において、制御部６０２は日射があるか否か判断する。日射がある場合、ステップＳ７０３に進む。日射がない場合、ステップＳ３０３に戻る。
【００６６】
ステップＳ７０３において、制御部６０２は、通信部６０１が取得した日射量の情報、緯度、経度、ディスプレイ１０１のパネルの向いている方向である方位、ディスプレイ１０１のパネルの傾き、及び日時から、太陽からディスプレイ１０１が受ける日射量を算出し、ステップＳ７０４に進む。
【００６７】
ステップＳ７０４において、制御部６０２は、制御部６０２は、算出した日射量に基づいてファン１０５の回転数を決定し、ステップＳ３０３に戻る。
【００６８】
このように、実施の形態３の屋外表示装置によれば、外部のネットワークから日射量の情報を取得し、屋外表示装置を設置した位置での日射量を算出し、算出した日射量に基づいてファンの回転数を制御することにより、環境を測定する構成を備える必要なく、高温による液晶が液体状態になることを防ぎ、その結果、液晶ディスプレイが画像を表示することができなくなることを防ぐことができる。
【００６９】
（実施の形態４）
実施の形態４では、屋外用表示装置を損傷させる虞がある気象情報（例えば雷）に基づいて屋外用表示装置の電源を制御する例について説明する。図８は、実施の形態４に係る屋外用表示装置の概略構成を示すブロック図である。図８において、図１と同様の構成については、同一の番号を付し、説明を省略する。図８において、屋外用表示装置８００は、ディスプレイ１０１と、通信部８０１と、制御部８０２と、記憶部１０４と、ファン１０５と、電源部８０３と、を備える。
【００７０】
通信部８０１は、図１の通信部１０２の機能に加えて、外部のネットワークから屋外用表示装置８００を損傷させる虞がある気象情報（以下「異常気象情報」と言う）を取得する。異常気象情報は、例えば、雷の発生情報、台風情報、洪水情報、粒子の飛来情報または噴火情報である。これらの異常気象情報は、発生した時刻、位置（例えば経度及び緯度）の情報も含む。例えば、気象庁からは、
http://www.data.jma.go.jp/add/suishin/jyouhou/pdf/312.pdf
に記載されているようなデータが配信されており、ある地点（計算すれば緯度・経度）の雷の発生状況（雷の可能性及び雷の激しさ）が、電文により配信されている。通信部８０１は、この配信されている雷の発生情報を取得してもよい。
【００７１】
制御部８０２は、図１の制御部１０３の機能に加えて、通信部８０１が取得した異常気象情報に基づいて電源部８０３を制御する。具体的には、制御部８０２は、記憶部１０４に記憶した座標と、異常気象が発生した座標とから距離を求める。そして、制御部８０２は、屋外用表示装置８００を設置した位置から所定の距離内で、異常気象が発生している場合、電源部８０３をオフにする制御を行う。
【００７２】
例えば、落雷によりＡＣコンセント等の電源ラインを介して大きな電圧が屋外用表示装置に印加されることを防ぎ、機器の故障や劣化、最悪の場合には火災に発展することを防ぐ。
【００７３】
具体的には、屋外用表示装置８００は、気象庁から配信された電文を受信し、屋外用表示装置８００を設置した位置の近辺において激しい雷が発生（雷活動度＝５）した場合に、あらかじめ電源を切る制御を設定する。そして、実際に雷活動度＝５の情報を受信した時に、屋外用表示装置８００の電源をオフし、ＡＣコンセント上は無負荷とすることで、直雷があったとしても、機器の故障や火災に発展することを防ぐ。
【００７４】
電源部８０３は、ディスプレイ１０１及びファン１０５に電力を供給する。そして、電源部８０３は、制御部８０２の指示に従い、ディスプレイ１０１及びファン１０５に電力を供給することを止める。
【００７５】
以上の構成により、屋外用表示装置８００は、異常気象が発生した場合に、電源を切る制御を行う。次に屋外用表示装置８００の動作について説明する。図９は、実施の形態４に係る屋外用表示装置８００の動作の一例を示すフローチャートである。図９において、図２と同一のステップについては、同一の番号を付し、図２の説明における通信部１０２は、通信部８０１と読み替え、また図２の説明における制御部１０３は、制御部８０２と読み替えて、説明を省略する。
【００７６】
ステップＳ３０６において、制御部８０２は、冷却用のファン１０５を回すように制御し、ステップＳ９０１に進む。
【００７７】
ステップＳ３０７において、制御部８０２は、冷却用のファン１０５が回っている状態であるか否か判断する。冷却用のファン１０５が回っている状態である場合、ステップＳ３０８に進む。また、冷却用のファン１０５が回っていない状態である場合、ステップＳ９０１に進む。
【００７８】
ステップＳ３０８において、制御部８０２は、冷却用のファン１０５を止めるように制御し、ステップＳ９０１に進む。
【００７９】
ステップＳ９０１において、通信部８０１は、異常気象情報を取得し、ステップＳ９０２に進む。
【００８０】
ステップＳ９０２において、制御部８０２は、屋外用表示装置８００を設置した位置から所定の距離内で、異常気象が発生しているか否かを判断する。所定の距離内で、異常気象が発生している場合、ステップＳ９０３に進む。また、所定の距離内で、異常気象が発生していない場合、ステップＳ３０３に戻る。
【００８１】
ステップＳ９０３において、制御部８０２は、電源部８０３をオフにする制御を行い、処理を終了する。
【００８２】
このように、実施の形態４の屋外用表示装置によれば、外部のネットワークから屋外用表示装置を損傷させる虞がある気象情報を取得し、屋外用表示装置を損傷させる虞がある気象現象が、屋外用表示装置を設置した位置から所定の範囲内で発生した場合、屋外用表示装置への電力供給を止めることにより、気象現象に起因する装置の故障、火災の発生を防ぐことができる。
【００８３】
なお、実施の形態４では、屋外用表示装置を損傷させる虞がある気象現象の一例として、雷が発生する例を説明しているが、他の気象現象においても適用できる。例えば、台風、洪水、ＰＭ２．５や黄砂等の粒子の飛来または噴火等の気象現象においても、実施の形態４に適用できる。例えば、台風や洪水が発生した場合には、電源をオフにすることにより、屋外用表示装置に漏電が発生することを防ぐことができる。また、ＰＭ２．５や黄砂等の粒子の飛来または噴火では、電源をオフにする、またはファンを止めることにより、屋外用表示装置が多量の粒子を吸い込み、ショート、または異常加熱することを防ぐことができる。
【００８４】
具体的には、日本に飛来する黄砂が多くなった場合に、屋外用表示装置が、ファンから黄砂を内部に吸い込み、表示性能の低下または電子部品のショートすることを防ぐ。例えば、気象庁は、
http://www.data.jma.go.jp/add/suishin/jyouhou/pdf/151.pdf
にあるようなデータが配信されており、ある地点（計算すれば緯度・経度）の黄砂の飛来状況が、電文により配信されている。例えば、屋外用表示装置は、この電文を受信し、近辺において黄砂が飛来した際には、あらかじめファンを止める制御を設定する。そして、実際に黄砂が飛来した場合、屋外用表示装置が黄砂を吸い込むことはないので、屋外用表示装置の表示性能劣化を防ぐことができる。
【００８５】
また、電源の復帰については、手動で行う、または独立した内蔵電源とタイマーにより自動で復帰する等により実現することができる。
【００８６】
なお、本発明は上記実施の形態に限られたものではなく、趣旨を逸脱しない範囲で適宜変更することが可能である。例えば、各実施の形態は組み合わせて適用してもよい。
【００８７】
また、上記実施の形態において、制御部１０３、４０１、６０２または８０２における処理は、ＡＳＩＣ（Application Specific Integrated Circuit）等のハードウェアまたはソフトウェアで実施できる。また、処理の一部をソフトウェアで実施し、それ以外をハードウェアで実施することとしても良い。ソフトウェアで実施する際には、マイクロプロセッサ等の１つあるいは複数のＣＰＵ（Central Processing Unit）を有するコンピュータシステムに機能ブロックの処理に関するプログラムを実行させればよい。これらのプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Compact Disc Read Only Memory）、ＣＤ−Ｒ、ＣＤ−Ｒ／Ｗ、ＤＶＤ−ＲＯＭ（Digital Versatile Disc Read Only Memory）、ＤＶＤ−Ｒ（DVD Recordable）、ＤＶＤ−Ｒ  ＤＬ（DVD-R Dual Layer)、ＤＶＤ−ＲＷ（DVD ReWritable）、ＤＶＤ−ＲＡＭ、ＤＶＤ＋Ｒ、ＤＶＲ＋Ｒ  ＤＬ、ＤＶＤ＋ＲＷ、ＢＤ−Ｒ（Blu-ray（登録商標） Disc Recordable）、ＢＤ−ＲＥ（Blu-ray （登録商標）Disc Rewritable）、ＢＤ−ＲＯＭ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００８８】
１００、４００、６００、８００  屋外用表示装置
１０１  ディスプレイ
１０２、６０１、８０１  通信部
１０３、４０１、６０２、８０２  制御部
１０４  記憶部
１０５  ファン
２００  システム
２０１  データ収集サーバ
２０２  データ配信サーバ
２０３、２０４  ネットワーク
２０５−１〜２０５−ｎ  測定所
２０６、２０７  ルーター
８０３  電源部
【図１】
2017102170.tif 000003
【図２】
2017102170.tif 000004
【図３】
2017102170.tif 000005
【図４】
2017102170.tif 000006
【図５】
2017102170.tif 000007
【図６】
2017102170.tif 000008
【図７】
2017102170.tif 000009
【図８】
2017102170.tif 000010
【図９】
2017102170.tif 000011